(57)【要約】      （修正有）【課題】偽造又は変造が難しい正規品認証手段及び正規品認証システムを提供する。【解決手段】正規品認証システムは、正規品認証対象に付着したホログラムステッカーの一面に塗布され、入射した光を反射させるときに特定のスペクトルを含ませて反射させる光学物質、正規品認証対象に付着したステッカーの一面にパターン状に形成され、正規品認証対象製品の情報を含む追加情報、および正規品認証対象に付着したステッカーの一面に形成されているランダムパターンであって、正規品認証対象の正規品を認証するパターンを備える正規品認証手段と、正規品認証手段を用いて正規品認証を行うユーザー端末と、ユーザー端末の正規品認証実行結果を用いて正規品認証実行および偽物発生の統計データを生成するサービスサーバーと、サービスサーバーが生成した正規品認証実行および偽物発生の統計データをサービスサーバーから受け取って出力する管理者端末とを含む。【選択図】図２
2017016615.tif 000002
【特許請求の範囲】
【請求項１】
正規品認証対象に付着したステッカーの一面に塗布された光学物質であって、入射した光を反射させるときに特定のスペクトルを含ませて反射させる光学物質と、
前記正規品認証対象に付着したステッカーの一面に配置されたパターン状の追加情報であって、正規品認証対象製品の情報を含む追加情報と、
前記正規品認証対象に付着したステッカーの一面に配置されたランダムパターンであって、前記正規品認証対象の正規品を認証するパターンと、を含むことを特徴とする、正規品認証手段。
【請求項２】
前記正規品認証対象に付着したステッカーの一面に配置されたホログラムであって、角度によって異なる光を反射し、前記正規品認証対象製品のロゴまたは文字の形状を有するホログラムをさらに含むことを特徴とする、請求項１に記載の正規品認証手段。
【請求項３】
前記光学物質が特殊光学インクであることを特徴とする、請求項１に記載の正規品認証手段。
【請求項４】
前記光学物質がガラス物質であることを特徴とする、請求項１に記載の正規品認証手段。
【請求項５】
前記光学物質が前記追加情報のパターン状の上部にのみ塗布されていることを特徴とする、請求項１に記載の正規品認証手段。
【請求項６】
前記追加情報は前記正規品認証対象製品の製造日付、製品番号、製品内容、販売所、および保証期間の少なくとも一つの情報を含むことを特徴とする、請求項１に記載の正規品認証手段。
【請求項７】
前記追加情報が一次元バーコードまたは二次元バーコードの形態であることを特徴とする、請求項１に記載の正規品認証手段。
【請求項８】
正規品認証対象に付着したステッカーの一面に塗布された光学物質であって入射した光を反射させるときに特定のスペクトルを含ませて反射させる光学物質、前記正規品認証対象に付着したステッカーの一面に配置されたパターン状の追加情報であって正規品認証対象製品の情報を含む追加情報、および前記正規品認証対象に付着したステッカーの一面に配置されたランダムパターンであって前記正規品認証対象の正規品を認証するパターンを備える正規品認証手段と、
前記正規品認証手段を用いて正規品認証を行うユーザー端末と、
前記パターン、前記光学物質のスペクトル、および前記追加情報を既存データとして備えており、前記ユーザー端末の正規品認証実行結果を用いて正規品認証実行および偽物発生の統計データを生成するサービスサーバーと、
前記サービスサーバーが生成した前記正規品認証実行および偽物発生の統計データを前記サービスサーバーから受け取って出力する管理者端末と、を含むことを特徴とする、正規品認証システム。
【請求項９】
前記ユーザー端末および前記管理者端末はインターネット接続を通じて前記サービスサーバーにそれぞれ接続されていることを特徴とする、請求項８に記載の正規品認証システム。
【請求項１０】
前記ユーザー端末は、
前記正規品認証手段を撮影して動画データおよび静止画データを獲得するデータ獲得部と、
前記データ獲得部が獲得した前記動画データおよび前記静止画データを前記サービスサーバーの前記既存データと比較して前記正規品認証手段の真偽を判別するデータ比較部と、を含むことを特徴とする、請求項８に記載の正規品認証システム。
【請求項１１】
前記ユーザー端末は、前記正規品認証手段に光を照射する光出力部をさらに含むことを特徴とする、請求項１０に記載の正規品認証システム。
【請求項１２】
前記データ比較部は、
前記データ獲得部で獲得した前記動画データを加工してパターン認識のための映像部分と追加情報認識のための映像部分を分離し、前記静止画データを加工してスペクトルを分離する獲得データ処理部と、
前記獲得データ処理部から前記パターン認識のための映像部分を受け取り、これを前記サービスサーバーの前記既存データと比較して前記パターンの正規品か否かを判断するパターン比較部と、
前記獲得データ処理部から前記追加情報認識のための映像部分および前記スペクトルをそれぞれ受け取り、これを前記サービスサーバーの前記既存データと比較して、前記追加情報に含まれた正規品認証対象製品の情報と一致するか否かおよび前記スペクトルと一致するか否かを判断する追加情報およびスペクトル比較部と、を含むことを特徴とする、請求項１０に記載の正規品認証システム。
【請求項１３】
前記サービスサーバーに既存データとして備えられた前記光学物質のスペクトルは、形成された一定の範囲で保存されており、
前記追加情報およびスペクトル比較部は、前記静止画から抽出されたスペクトルが前記サービスサーバーに保存された範囲内に含まれるとき、当該スペクトルを持つ光学物質を正規品と判断することを特徴とする、請求項１２に記載の正規品認証システム。
【請求項１４】
前記サービスサーバーは、
前記光学物質のスペクトル、前記追加情報、および前記パターンの正常パターンを既存データとして備えるデータベース部と、
前記ユーザー端末の正規品認証実行結果を用いて正規品認証実行および偽物発生の統計データを生成する統計データ生成部と、を含み、
前記統計データ生成部は、正規品認証の実行が発生した前記ユーザー端末の位置、頻度、正規品と判別された正規品認証対象製品の購買者情報、および偽物と判別された正規品認証対象製品の正規品認証を行った当該ユーザー端末の位置の少なくとも一つの情報を用いて統計データを生成することを特徴とする、請求項８に記載の正規品認証システム。
【請求項１５】
前記統計データ生成部が用いる情報のうち、前記正規品と判別された正規品認証対象製品の購買者情報は、購買者の年齢、性別および購買位置の少なくとも一つであり、前記購買者の年齢、性別および購買位置は、前記ユーザー端末が前記サービスサーバーに会員加入を介して接続するときに前記ユーザー端末から入力した情報であることを特徴とする、請求項１４に記載の正規品認証システム。
【請求項１６】
前記管理者端末は、前記サービスサーバーから受け取った前記正規品認証実行および偽物発生の統計データをグラフ、地図または図表の形で出力することを特徴とする、請求項８に記載の正規品認証システム。
【発明の詳細な説明】
【技術分野】
【０００１】
本発明は、正規品認証手段および正規品認証システムに関する。
【背景技術】
【０００２】
正規品と偽物（偽造品）の真偽判別のために、正規品認証のための手段が発展しつつある。
一例として、正規品販売者は、販売対象製品である正規品にシリアル番号を与えるか、ホログラムステッカーを付着させて正規品を認証するようにシステムを構築している。
【０００３】
しかしながら、このような従来の正規品認証のための方法およびシステムにも拘わらず、偽造および変造技術が益々増えることにより、正規販売者の被害事例および偽造品を購入した購買者の被害事例が多様化している。
【０００４】
正規品認証のための方法およびシステムを利用して当該製品の流通経路を追跡する技術が特許文献１の「製品認証方法およびその装置」として既に開示されている。
ところが、このような登録特許の場合、電波識別タグおよび固有識別情報を含むラベルの偽造または変造を源泉的に防止することができない。よって、ラベル自体の偽造または変造が難しいラベルの開発が求められている。
【先行技術文献】
【特許文献】
【０００５】
【特許文献１】大韓民国登録特許第０７８５７６５号公報
【発明の概要】
【発明が解決しようとする課題】
【０００６】
本発明が解決しようとする技術的課題は、様々なセキュリティー技術を適用して偽造または変造が難しい正規品認証手段およびこれを用いた正規品認証システムを提供することにある。
【０００７】
本発明が解決しようとする他の技術的課題は、正規品認証の実行時に発生したイベントを用いて正規品認証実行対象の流通経路を把握し、正規品認証の実行を行ったユーザー端末の情報を用いて購買者統計を算出する正規品認証システムを構築することにより、製品の偽造および変造をモニタリングし、購買者統計データを用いた製品開発の向上を図ることにある。
【課題を解決するための手段】
【０００８】
本発明の一実施例に係る正規品認証手段は、正規品認証対象に付着するステッカーの一面に塗布されており、入射した光を反射させるときに特定のスペクトルを含ませて反射させる光学物質と、前記正規品認証対象に付着するステッカーの一面にパターン状に形成され、正規品認証対象製品の情報を含む追加情報と、前記正規品認証対象に付着するステッカーの一面に形成されたランダムパターンであって、前記正規品認証対象の正規品を認証するパターンとを含むことを特徴とする。
【０００９】
前記正規品認証対象に付着するステッカーの一面に形成されており、角度によって異なる光を反射し、前記正規品認証対象製品のロゴまたは文字の形で形成されたホログラムをさらに含むことを特徴とする。
【００１０】
一例において、前記光学物質は特殊光学インクであることを特徴とする。
【００１１】
一例において、前記光学物質はガラス物質であることを特徴とする。
【００１２】
前記光学物質は、前記追加情報のパターン状の上部にのみ塗布されたことを特徴とする。
【００１３】
前記追加情報は、前記正規品認証対象製品の製造日付、製品番号、製品内容、販売所、および保証期間の少なくとも一つの情報を含むことを特徴とする。
【００１４】
前記追加情報は一次元バーコードまたは二次元バーコードの形態であることを特徴とする。
【００１５】
本発明の一実施例に係る正規品認証システムは、正規品認証対象に付着したステッカーの一面に塗布されており、入射した光を反射させるときに特定のスペクトルを含ませて反射させる光学物質、前記正規品認証対象に付着したステッカーの一面にパターン状に形成されており、正規品認証対象製品の情報を含む追加情報、および前記正規品認証対象に付着したステッカーの一面に形成されたランダムパターンであって、前記正規品認証対象の正規品を認証するパターンを備える正規品認証手段と、前記正規品認証手段を用いて正規品認証を行うユーザー端末と、前記パターン、前記光学物質のスペクトル、および前記追加情報を既存データとして備えており、前記ユーザー端末の正規品認証実行結果を用いて正規品認証実行および偽物発生の統計データを生成するサービスサーバーと、前記サービスサーバーが生成した前記正規品認証実行および偽物発生の統計データを前記サービスサーバーから受け取って出力する管理者端末とを含むことを特徴とする。
【００１６】
前記ユーザー端末および前記管理者端末は、インターネット接続を通じて前記サービスサーバーにそれぞれ接続されていることを特徴とする。
【００１７】
前記ユーザー端末は、前記正規品認証手段を撮影して動画データおよび静止画データを獲得するデータ獲得部と、前記データ獲得部が獲得した前記動画データおよび前記静止画データを前記サービスサーバーの前記既存データと比較して前記正規品認証手段の真偽を判別するデータ比較部とを含むことが特徴とする。
【００１８】
前記ユーザー端末は、前記正規品認証手段に光を照射する光出力部をさらに含むことを特徴とする。
【００１９】
前記データ比較部は、前記データ獲得部で獲得した前記動画データを加工してパターン認識のための映像部分と追加情報認識のための映像部分を分離し、前記静止画データを加工してスペクトルを分離する獲得データ処理部と、前記獲得データ処理部から前記パターン認識のための映像部分を受け取り、これを前記サービスサーバーの前記既存データと比較して前記パターンの正規品か否かを判断するパターン比較部と、前記獲得データ処理部から前記追加情報認識のための映像部分および前記スペクトルをそれぞれ受け取り、これを前記サービスサーバーの前記既存データと比較して、前記追加情報に含まれた正規品認証対象製品の情報の一致か否かおよび前記スペクトルの一致か否かを判断する追加情報およびスペクトル比較部とを含むことを特徴とする。
【００２０】
前記サービスサーバーに既存データとして備えられた前記光学物質のスペクトルは、一定の範囲で形成されて保存されており、前記追加情報およびスペクトル比較部は、前記静止画から抽出されたスペクトルが前記サービスサーバーに保存された範囲内に含まれるとき、当該スペクトルを有する光学物質を正規品と判断することを特徴とする。
【００２１】
前記サービスサーバーは、前記ホログラムステッカー、前記光学物質のスペクトル、および前記追加情報を既存データとして備えるデータベース部と、前記ユーザー端末の正規品認証実行結果を用いて正規品認証実行および偽物発生の統計データを生成する統計データ生成部とを含み、前記統計データ生成部は、正規品認証の実行が発生した前記ユーザー端末の位置、頻度、正規品と判別された正規品認証対象製品の購買者情報、および偽物と判別された正規品認証対象製品の正規品認証を行った当該ユーザー端末の位置の少なくとも一つの情報を用いて統計データを生成することを特徴とする。
【００２２】
前記統計データ生成部が用いる情報のうち、前記正規品と判別された正規品認証対象製品の購買者情報は、購買者の年齢、性別および購買位置の少なくとも一つであり、前記購買者の年齢、性別および購買位置は、前記ユーザー端末が前記サービスサーバーに会員加入を介して接続するときに前記ユーザー端末から入力した情報であることを特徴とする。
【００２３】
前記管理者端末は、前記サービスサーバーから受け取った前記正規品認証実行および偽物発生の統計データをグラフ、地図または図表の形で出力することを特徴とする。
【発明の効果】
【００２４】
このような特徴によれば、正規品認証手段は、光学物質部、追加情報およびパターンを含んで形成されることにより、正規品認証手段の偽造および変造の難易度を高めるという効果がある。
【００２５】
また、正規品認証システムは、前述のように形成されて偽造および変造が難しい正規品認証手段、正規品認証を行うユーザー端末、およびサービスサーバーを含む正規品認証システムであって、ユーザー端末で正規品認証手段を用いて容易に正規品認証を行うことができるという効果がある。
【００２６】
このとき、正規品認証システムのサービス端末で正規品認証データを加工して統計データを生成することにより、管理者端末で統計データを用いて正規品認証状況および偽物発生状況をモニタリングしたり、購買者統計データをモニタリングしたりすることができるという効果がある。
【図面の簡単な説明】
【００２７】
【図１】本発明の一実施例に係る正規品認証手段を示す図である。
【図２】本発明の一実施例に係る正規品認証システムの構造を示すブロック図である。
【図３】本発明の一実施例に係る正規品認証システムにおけるユーザー端末のデータ比較部の構造を示すブロック図である。
【図４】本発明の一実施例に係る正規品認証システムにおける管理者端末の加工データ出力部の出力画面を示す図面である。
【発明を実施するための形態】
【００２８】
以下に添付図面を参照しながら、本発明の実施例について、本発明の属する技術分野における通常の知識を有する者が容易に実施し得るように詳しく説明する。しかし、本発明は、様々な異なる形態に実現でき、ここで説明する実施例に限定されない。図面において、本発明を明確に説明するために説明と関係のない部分は省略し、明細書全体にわたって、類似の部分には類似の図面符号を付した。
【００２９】
次に、添付図面を参照して本発明の一実施例に係る正規品認証手段を説明する。
【００３０】
図１を参照して本発明の一実施例に係る正規品認証手段の構造を説明すると、正規品認証手段１０は、正規品認証対象に付着するステッカー１１、ステッカー１１の上面に形成されたパターン１２、追加情報１３、およびステッカー１１の上面に塗布される光学物質１４を含む。
【００３１】
ステッカー１１は、接着剤の塗布された一面が正規品認証対象に付着でき、接着剤の塗布されていない他の一面である上面には前述したようにパターン１２、追加情報１３および光学物質１４がそれぞれ形成される。
このとき、ステッカー１１は、図１に示すように、四角形状を持つように形成できるが、他の実施例として円形の形状にも形成できる。ステッカー１１の形状は特に限定されない。
【００３２】
パターン１２は、上述したように、ステッカー１１の上面、その中でも上部に形成されるが、正規品認証手段１０の正規品か否かを判別するためのパターンであって、ランダムな位置に複数のパターンを備えるように形成できる。
一例において、複数のパターン１２は互いに異なるパターン状に形成でき、複数のパターン１２を含むパターン構造は一つの正規品認証対象に一つのパターン構造が対応した方が良い。
このような複数のパターン１２で形成されるパターンらの構造は、写真撮影されたときにパターン１２構造全体が比較対象となって、当該パターン１２構造を持つ正規品認証対象１０の正規品か否かを判断するときに使用される。
【００３３】
また、複数のパターン１２は、肉眼で確認し難いようにマーキングされたセキュリティーパターンであって、これを撮影した動画をフレーム単位で分析した場合にのみその真偽を確認することができるように製作および形成されたパターンであることが好ましい。
このとき、複数のパターン１２が形成された部分であるステッカー１１の上面の上部にはロゴ１５が形成できる。
一例において、ロゴ１５は、販売者のブランドロゴまたはこれを表す文字などを絵としてさらに含んで構成できる。
【００３４】
追加情報１３は、ステッカー１１の上面、その中でも下部に形成でき、暗号化されたコードとして形成されて正規品認証対象製品の情報を含む。
一例として、暗号化されたコード形態の追加情報１３は、ステッカー１１の上面に形成されるときのエンコード、および後で当該追加情報１３を認識して復号化するデコードにおける暗号化パターンを別途設定する。
このとき、暗号化されたコード形態の追加情報１３を復号化するデコードアルゴリズムは、ステッカー１１の上面に追加情報１３を形成するアルゴリズムと１：１で対応できる。
【００３５】
一例において、追加情報１３は、一次元バーコードまたは二次元バーコードであるＱＲコード（ＱＲ−ｃｏｄｅ、ｑｕｉｃｋ  ｒｅｓｐｏｎｓｅ  ｃｏｄｅ）で形成され、正規品認証対象製品の情報を含む。
このとき、追加情報１３は、正規品認証対象製品の製造日付、製品番号、製品内容、販売所、保証期間などの情報の少なくとも一つを含む。
このような追加情報１３は、角度によって異なる光を反射するホログラム（ｈｏｌｏｇｒａｍ）の形で形成できる。
【００３６】
光学物質１４は、ステッカー１１の上面に塗布されて形成されるが、一例において、ステッカー１１の上面の一部に塗布されるか、或いはステッカー１１の上面全体に塗布される形で形成できる。
このとき、光学物質１４がステッカー１１の上面の一部に塗布されるように形成される場合、光学物質１４は、ステッカー１１の上面の中でも、特に追加情報１３の上部に塗布されることが好ましい。
光学物質１４が追加情報１３の上部に塗布される形で形成される場合、正規品認証手段１０の側面は、図１の拡大図に示すように、ステッカー１１の上面に追加情報１３が位置し、追加情報１３の上に光学物質１４が塗布される構造で形成できる。
【００３７】
光学物質１４は、化学物質たる特殊光学インクであって、例えばガラス物質であってもよい。
このような光学物質１４は、入射した光を反射するが、塗布された特殊光学インクに含まれた色によって固有の波長、すなわち特定のスペクトルを含んで反射する。
一例として、光学物質１４が入射光を反射するときに４００ｎｍの波長を含むように形成されてステッカー１１の上に塗布された場合、当該光学物質１４は、実際に外部の光源から光が入射するとき、入射光を反射すると同時に４００ｎｍの波長を反射する。
【００３８】
他の一例として、光学物質１４は、６６０ｎｍの波長を含むように形成され、外部から入射した光源の光を反射するときに６６０ｎｍの波長を反射することができる。
このように、光学物質１４は特定の波長を出力する構造で形成されるので、当該光学物質１４を分析して波長を得るようにすることにより、正規品認証を行うための一つの指標の役割を果たす。
【００３９】
このような構造で形成される本発明の一実施例に係る正規品認証手段１０は、ステッカー１１、その上面に形成されるパターン１２、追加情報１３、および光学物質１４を含むので、ホログラムのみを含むか、一次元または二次元のバーコードを含んで正規品認証を行う従来の正規品認証手段よりも正規品認証手続きが複雑であって、正規品認証手段１０の偽造または変造の複雑性および難易度が高くなる。
【００４０】
このような構造を持つ本発明の一実施例に係る正規品認証手段１０の偽造および変造が難しくなるにつれて、正規品認証対象製品に付着する正規品認証手段の複製が難しくなるので、偽造または変造された偽物の生産を予防することができるという効果がある。
【００４１】
次に、図１〜図４を参照して、本発明の一実施例に係る正規品認証システムの構造について説明する。
【００４２】
本発明の一実施例に係る正規品認証システムは、図２に示すように、インターネット４００に接続するユーザー端末１００および管理者端末２００、そしてインターネット４００に接続してユーザー端末１００および管理者端末２００に対して情報を提供するか或いは情報を受け取るサービスサーバー３００を含む。
【００４３】
ユーザー端末１００は、正規品認証過程が直接行われる端末であって、例えば、正規品認証対象製品を購入した購買者が所有した端末であってもよい。
一例において、ユーザー端末１００は、インターネット４００に接続可能な端末であって、例えば、スマートフォン、タブレットパソコン、ノート型パソコンなどの携帯可能な電子機器であってもよい。
このようなユーザー端末１００は、図１を参照して前述した本発明の一実施例に係る正規品認証手段１０を用いて正規品認証を行う端末であって、本明細書の詳細な説明を述べるにあたり、ユーザー端末１００がスマートフォンである場合を例として説明する。
【００４４】
このとき、ユーザー端末１００は、データ獲得部１１０、データ比較部１２０、入力および出力部１３０、および光出力部１４０を含むが、データ獲得部１１０は、カメラであって、正規品認証手段１０を撮影して動画データおよび静止画データを獲得する。
このとき、データ獲得部１１０は、獲得した動画データをフレーム単位で分離して静止画データを獲得するか、或いは静止画を撮影することにより静止画データを獲得することができる。
【００４５】
データ比較部１２０は、データ獲得部１１０から動画データおよび静止画データを受け取り、サービスサーバー３００から既存データを受け取り、動画データおよび静止画データに含まれた情報とサービスサーバー３００から伝達された既存データとを比較して正規品認証手段１０の真偽を判別する。
【００４６】
入力および出力部１３０は、スマートフォンの形態であるユーザー端末１００のタッチ入出力部であって、外部から入力信号の印加を受けるか、或いはユーザー端末１００の正規品認証実行動作を画面として出力する。
【００４７】
光出力部１４０は、ユーザー端末１００を用いて正規品認証手段１０を撮影するときに光を出力するための光源であって、スマートフォンに備えられたフラッシュ装置であることが良い。
【００４８】
このようなユーザー端末１００は、正規品認識のための専用プログラムを予め設置しており、正規品認識のための専用プログラムは、正規品認証システムを提供しようとする事業者がプログラム提供サーバーにアップロードした後、ユーザー端末１００でこれをダウンロードしてインストールすることが良い。
【００４９】
正規品認識のための専用プログラムは、ユーザー端末１００の入力および出力部１３０に入力された入力信号に基づいてデータ獲得部１１０および光出力部１４０を制御し、データ比較部１２０を行い、データ比較部１２０の実行結果に基づいて入力および出力部１３０の出力を制御する。
【００５０】
一例において、正規品認識のための専用プログラムはユーザー端末１００の保存部に保存およびインストールされ、ユーザー端末１００の処理部、すなわちプロセッサで実行され、ユーザー端末１００の処理部で実行される正規品認識のための専用プログラムはデータ比較部１２０で行う処理動作と見なすことができる。
【００５１】
このように、ユーザー端末１００にインストールされて実行され、正規品認識を行うデータ比較部１２０の構造について図３を参照してより詳しく説明すると、ユーザー端末１００のデータ比較部１２０は、獲得データ処理部１２１、パターン比較部１２２、および追加情報およびスペクトル比較部１２３を含む。
【００５２】
まず、獲得データ処理部１２１は、データ獲得部１１０から動画データおよびフレーム単位の静止画データを受け取り、動画データからパターン１２認識のための映像部分と追加情報１３認識のための映像部分をそれぞれ分離し、静止画データから光学物質１２で反射されたスペクトルを分離する。
すなわち、獲得データ処理部１２１は、データ獲得部１１０で獲得した動画データと静止画データを加工して正規品認証手段１０の真偽の分析に利用するデータとしてそれぞれ分離する処理を行う。
【００５３】
パターン比較部１２２は、獲得データ処理部１２１から分離された、パターン１２認識のための映像部分を受け取り、当該映像部分に含まれたパターン１２がサービスサーバー３００に保存された比較対象パターン１２のいずれか一つと一致するか否かを判断し、その判断結果に基づいてパターン１２の真偽を出力する。
このとき、パターン比較部１２２が獲得データ処理部１２１から伝達された、分離されたパターン１２認識のための映像部分との比較を行う比較対象パターンは、サービスサーバー３００に保存された正常パターンであって、好ましい例において、ユーザー端末１００がインターネット４００を通じてサービスサーバー３００に接続し、サービスサーバー３００に保存された性能パターンとのパターン比較を行う。
【００５４】
一例において、分離されたパターン１２認識のための映像部分に含まれたパターンとサービスサーバー３００に保存された正常パターンとが同じパターンである場合、パターン比較部１２２は当該パターン１２を正規品と判断する結果を出力する。
ところが、このとき、分離されたパターン１２認識のための映像部分に含まれたパターンとサービスサーバー３００に保存された正常パターンとが同一でない場合、パターン比較部１２２は当該パターン１２を偽物と判断する結果を出力する。
【００５５】
追加情報およびスペクトル比較部１２３は、獲得データ処理部１２１で分離された追加情報１３認識のための映像部分、および静止画から分離されたスペクトルを受け取り、追加情報１３を認識し、認識された追加情報をサービスサーバー３００に保存された追加情報と比較することにより、追加情報１３の真偽を判断するとともに、分離されたスペクトルの真偽を判断する。
【００５６】
まず、追加情報１３の真偽の判断を説明すると、追加情報およびスペクトル比較部１２３は、コード形態の追加情報１３を設定されたデコードアルゴリズムを通じて復号化し、デコードによって抽出された追加情報である製造日付や製品番号、製品内容、販売所、保証期間などの情報をサービスサーバー３００に保存された情報と比較することにより、当該追加情報１３の真偽を判別する。
【００５７】
一例において、追加情報およびスペクトル比較部１２３は、動画データから認識したコード形態の追加情報１３を直接デコードして抽出した情報をサービスサーバー３００に保存された情報と比較することを説明したが、他の一例において、追加情報およびスペクトル比較部１２３は、動画データから認識したコード形態の追加情報１３をサービスサーバー３００へ伝達してサービスサーバー３００でデコード処理して包含情報を比較することにより、追加情報１３の真偽を判別することもできる。
【００５８】
追加情報およびスペクトル比較部１２３は、静止画から分離されたスペクトルの正規品か否かを判断して光学物質１４の正規品か否かを出力する。このとき、静止画から分離されたスペクトルは、データ獲得部１１０が静止画を獲得する段階で、光学物質１４に入射したユーザー端末１００のフラッシュによって光学物質１４で反射された波長に含まれているスペクトルである。
【００５９】
一例において、静止画から抽出されたスペクトルを、サービスサーバー３００に保存された正規品認証手段１０に塗布される正規品たる光学物質１４の波長と比較して、一致する場合、追加情報およびスペクトル比較部１２３は当該光学物質１４を正規品と判断する結果を出力する。
ところが、このとき、光学物質１４に含まれている当該波長がサービスサーバー３００で探索されないか、或いは該当正規品認証手段１０に塗布された波長と一致しない場合、追加情報およびスペクトル比較部１２３は、当該光学物質１４を偽物と判断する結果を出力する。
【００６０】
このような実施例において、追加情報およびスペクトル比較部１２３は、スペクトル処理のための静止画データから抽出した波長が４１０ｎｍであり、サービスサーバー３００に保存された正規品たる光学物質１２の波長が３９５ｎｍ−４００ｎｍ−４１０ｎｍである場合、抽出した波長４１０ｎｍが正規品たる光学物質１４の波長の範囲に含まれるので、当該光学物質１４を正規品と判断する。
【００６１】
同様に、追加情報およびスペクトル比較部１２３がスペクトル処理のための静止画データから６４０ｎｍの波長を抽出し、サービスサーバー３００に保存された正規品たる光学物質１４の波長が６４０ｎｍ−６６０ｎｍである場合、抽出した波長６４０ｎｍが正規品たる光学物質１４の波長範囲に含まれるので、当該光学物質１４を正規品と判断する。
【００６２】
このように、データ比較部１２０は、獲得データ処理部１２１、パターン比較部１２２、並びに追加情報およびスペクトル比較部１２３を含み、データ獲得部１１０で獲得した動画データおよび静止画データを受け取り、これをサービスサーバー３００に保存された既存データと比較してパターン１２、追加情報１３、および光学物質１４の真偽をそれぞれ判断し、これにより正規品認証手段１０の正規品か否かを判断する。
【００６３】
このようなデータ比較部１２０は、正規品認証手段１０の正規品か否かの判断結果を入力および出力部１３０へ伝達して出力するか、或いはインターネット４００を通じてサービスサーバー３００へ伝達してサービスサーバー３００に保存する。
このとき、ユーザー端末１００のデータ比較部１２０は、正規品認証手段１０の正規品か否かの判断結果の他に、ユーザー端末１００の位置情報、ユーザー端末１００の正規品認証実行日付、正規品認証要求された製造日付、製品番号などの情報をサービスサーバー３００に伝達して保存する。
【００６４】
ユーザー端末１００は、入力および出力部１３０を介して入力された正規品認証実行要求者の性別情報や年齢情報をサービスサーバー３００に伝達して保存する。
このとき、ユーザー端末１００から入力した情報は、正規品認証実行要求者の個人情報提供の同意下で伝達できる。ここで、サービスサーバー３００に伝達して保存する情報はユーザー端末１００の位置情報をさらに含むことができる。
【００６５】
一例において、ユーザー端末１００は、正規品認識のための専用プログラムを介してサービスサーバー３００への会員加入を行い、会員加入の進行過程で発生した性別情報、年齢情報、位置情報、住所情報または電子メール情報をインターネット４００を通じてサービスサーバー３００に保存する。
【００６６】
一例において、ユーザー端末１００は、インターネット４００に接続するために、無線通信モジュールを含んで形成されることがよい。好ましくは、ユーザー端末１００は３ＧまたはＬＴＥ形態の移動通信またはＷｉＦｉ形態の無線通信を通じてインターネット４００に接続することがよい。
【００６７】
再び図２を参照してサービスサーバー３００の構造を詳しく説明すると、サービスサーバー３００は、前述したように、インターネット４００を通じてユーザー端末１００および管理者端末２００にそれぞれ接続され、データベース部３１０および統計データ生成部３２０を含む。
【００６８】
データベース部３１０は、ユーザー端末１００に提供すべき情報または管理者端末２００に提供すべき情報を保存しており、ユーザー端末１００から受け取った情報を保存することもある。
一例において、データベース部３１０がユーザー端末１００に提供する情報としては、既存データである正常パターン、正規品である光学物質１４の波長長さ、および追加情報がある。
このとき、既存データは、正規品認証システムを提供しようとする事業者が予め構築した情報であって、正規品認識の判別に利用され、正規品認識対象製品にそれぞれ対応する情報である。
【００６９】
データベース部３１０が管理者端末２００に提供する情報としては、統計データ生成部３３０で生成された統計データがある。
また、データベース部３１０がユーザー端末１００から受け取る情報として、データ比較部１２０から出力した正規品認証手段１０の正規品か否かの判断結果、ユーザー端末１００の位置情報、ユーザー端末１００の正規品認証の実行日付、正規品認証要求された製造日付、製品番号、製品販売売場の位置などの情報、正規品認証実行要求者の性別情報、年齢情報がある。これらの情報は、データベース部３１０に保存しているが、統計データの生成のために統計データ生成部３２０へ伝達される。
【００７０】
統計データ生成部３２０は、データベース部３１０から受け取ったデータを用いて統計データを算出し、算出された統計データをインターネット３００を通じて管理者端末２００へ伝達する。
このとき、統計データ生成部３２０が算出した統計データは、正規品認証の試みが発生した位置、頻度、正規品と判別された製品の購買者情報（年齢、性別、購入位置）や、正規品認証を試みたものの偽物と判別された場合に対する当該偽物の正規品認証を行ったユーザー端末１００の位置、偽物と判別された製品の形態などを含む。
【００７１】
一例として、統計データ生成部３２０で生成した統計データから、正規品認証の試みが発生した位置データ、正規品認証対象製品の正規品認証試みの頻度データ、正規品認証が確認された該当製品を購入した購買者達の年齢、性別、購買位置統計データ、偽物と判別された製品およびその位置データをそれぞれ統計的に把握することができる
【００７２】
管理者端末２００は、加工データ出力部２１０および加工データ要求部２２０を含んでなり、ユーザー端末１００と同様に、インターネット４００を介してサービスサーバー３００に接続される端末である。
一例において、管理者端末２００は、有線網を通じてサービスサーバー３００に接続されるコンピューター装備などの端末であってもよいが、他の一例において、管理者端末２００は、無線網を通じてサービスサーバー３００に接続される携帯可能な電子機器であってもよい。
このとき、管理者端末２００が携帯可能な電子機器である場合、ユーザー端末１００と同様に、移動通信もしくは無線通信を通じてインターネット３００に接続するスマートフォンの形態であってもよい。
【００７３】
加工データ出力部２１０は、インターネット４００を通じてサービスサーバー３００から伝達された統計データを出力するディスプレイ部であることがよい。
このとき、加工データ出力部２１０は、加工データ要求部２２０が、サービスサーバー３００で加工されたデータたる統計データをサービスサーバー３００に要求することにより、サービスサーバー３００から統計データの伝達を受けて出力することができるが、他の一例として、加工データ出力部２１０は、加工データ要求部２２０の加工データの要求が発生していない場合でも、データの伝達を受けて出力することができる。
【００７４】
一例において、サービスサーバー３００にユーザー端末１００から伝達されたデータのうち、偽物と判別されたデータが含まれている場合、サービスサーバー３００は、偽物と判別されたデータを受け取り次第、当該偽物判別信号などを管理者端末２００へ伝達して加工データ出力部２１０に出力することができる。
このとき、サービスサーバー３００が管理者端末２００へ当該偽物判別信号を伝達するとき、偽物判別信号に対応する偽物の正規品認証を行ったユーザー端末１００の位置、および偽物と判別された正規品認証対象製品の形態を情報としてさらに含むことがよい。
【００７５】
したがって、加工データ出力部２１０は、サービスサーバー３００から伝達された統計データを出力するが、各種グラフ、地図に適用したデータ、図表などとして出力することができる。
【００７６】
管理者端末２００がサービスサーバー３００から伝達された統計データを出力する一例について図４を参照して説明すると、携帯可能な電子機器形態の管理者端末２００の加工データ出力部２１０は、地図３３０１上に、正規品認証要求が発生したユーザー端末１００の位置をそれぞれの点３３０２ａ、３３０２ｂで表示する。
【００７７】
管理者端末２００から発生した入力信号、例えば特定の点３３０２ｂを選択した場合、選択された点に該当する正規品認証結果をポップアップ３３０３の形で出力する。
このとき、ポップアップ３３０３は、購入日付３３０３ａ、購買者情報３３０３ｂ、および正規品認証履歴３３０３ｃのそれぞれに対する情報を含むことができる。
【００７８】
このように、管理者端末２００に出力する正規品認証現況に基づいて、ユーザー端末１００で行った正規品認証データを確認することができる。
好ましい一例において、管理者端末２００は、正規品認証システムを提供しようとする事業者と契約関係を形成してサービスサーバー３００に接続したりサービスサーバー３００から統計データまたは偽物判別データを受け取ったりすることが許容された端末であるのが良い。
【００７９】
説明の如く、本発明の一実施例に係る正規品認証システムは、ユーザー端末１００で正規品認証手段１０を撮影し、サービスサーバー３００に保存されたデータを用いて正規品認証を行い、正規品認証実行結果をサービスサーバー３００に保存する。
【００８０】
サービスサーバー３００は、受け取った正規品認証実行結果およびユーザー端末１００から発生したデータを用いて正規品認証または偽物判別に対する統計データを生成し、これを管理者端末２００から出力する。
【００８１】
したがって、本発明の一実施例に係る正規品認証システムを通じて、ユーザー端末１００は、パターン１２、光学物質１４のスペクトルおよび追加情報１３を用いて正規品認証を行うので、従来のホログラム判別、または単純コードを用いた正規品判別よりも正規品認証手段１０の偽造または変造が難しくなり、結果として正規品認証のセキュリティーが向上する效果がある。
【００８２】
サービスサーバー３００が正規品認証要求現況または偽物に対する正規品認証試みを統計的に算出することにより、これを管理者端末２００に出力するので、管理者端末２００では、正規品認証対象製品に対する正規品認証現況および偽物発生有無をモニタリングすることができるため、正規品の偽造および変造を予防することができ、偽物発生に対する措置を迅速に取ることができるという効果がある。
【００８３】
以上で本発明の実施例について詳細に説明したが、本発明の権利範囲は、これに限定されるものではなく、以下の請求の範囲で定義している本発明の基本概念を利用した当業者の様々な変形および改良も本発明の権利範囲に属するのである。
【符号の説明】
【００８４】
１０    正規品認証手段
１１    ステッカー
１２    パターン
１３    追加情報
１４    光学物質
１００    ユーザー端末
１１０    データ獲得部
１２０    データ比較部
１３０    入力および出力部
１４０    光出力部
２００    管理者端末
２１０    加工データ出力部
２２０    加工データ要求部
３００    サービスサーバー
３１０    データベース部
３２０    統計データ生成部
４００    インターネット
【図１】
2017016615.tif 000003
【図２】
2017016615.tif 000004
【図３】
2017016615.tif 000005
【図４】
2017016615.tif 000006
【手続補正書】
【提出日】平成27年9月7日(2015.9.7)
【手続補正１】
【補正対象書類名】図面
【補正対象項目名】図１
【補正方法】変更
【補正の内容】
【図１】
2017016615.tif 000007